(57)【要約】【課題】内針を巻き取りやすくして、医療用針を患者の体表に穿刺してから輸液回路を接続等するまでの作業性を向上させることが可能な医療用針組立体を提供する。【解決手段】医療用針組立体１は、金属内針２と、金属内針２を巻き取るシャフト３と、巻き取られた金属内針２を収容する本体４と、シャフト３に着脱可能に設けられ、回転させることで、シャフト３を回転して金属内針２を巻き取るハンドル５と、を備える。ハンドル５の回転軸の軸方向は、延びた状態の金属内針２の長手方向及び穿刺面（患者の体表）と略直交する方向である。【選択図】図３
2020005988.tif 000002
【特許請求の範囲】
【請求項１】
内針と、
前記内針を巻き取る巻き取り軸と、
巻き取られた前記内針を収容する巻き取り筒体と、
前記巻き取り軸に設けられ、回転させることで、前記巻き取り軸を回転して前記内針を巻き取る巻き取り操作部と、を備え、
前記巻き取り操作部の回転軸の軸方向は、延びた状態の前記内針の長手方向及び穿刺面と略直交する方向であることを特徴とする医療用針組立体。
【請求項２】
前記巻き取り操作部には、前記巻き取り軸に垂直な方向に延長する延長部材が着脱可能となっている、請求項１に記載の医療用針組立体。
【請求項３】
前記内針は、巻き取られるときに前記巻き取り軸の外周面に対向するフラットな面を有する偏平形状に形成されている、請求項１又は２に記載の医療用針組立体。
【請求項４】
前記内針の前記巻き取り軸側及び／又は前記巻き取り軸側と反対側に、長手方向の切欠部が設けられている、請求項１又は２に記載の医療用針組立体。
【請求項５】
前記内針を蓋う外套針をさらに備え、
前記巻き取り操作部は、前記巻き取り軸を中心に半回転することで前記内針の先端を外套針内に退避し、前記巻き取り軸を中心にさらに半回転することで前記内針の先端まで前記巻き取り筒体内に収容する、請求項１〜４のいずれか１項に記載の医療用針組立体。
【発明の詳細な説明】
【技術分野】
【０００１】
本発明は、医療用針組立体に関する。
【背景技術】
【０００２】
医療用針組立体（医療用針）には、輸液（点滴）等に用いられる静脈留置針、透析に用いられる透析用留置針、あるいは、留置しない注射針などがある。これらの医療用針組立体においては、使用済み医療用針を安全な状態に処理する必要がある。
【０００３】
従来、かかる使用済み医療用針を安全な状態に処理する技術として、特許文献１に開示されたものが知られている。
特許文献１に開示された医療用針組立体（安全注射器）は、シリンジのすい口に取り付けたハブにカヌラ（針）を備えた安全注射器において、前記ハブを偏心した位置に固定した巻き取り軸に、当該巻き取り軸を回転軸として回転する巻き取り筒体を備え、この巻き取り筒体に備えた上部壁に設けた小孔を前記カヌラ（針）が貫通しており、前記巻き取り軸に対して前記巻き取り筒体を回転することによって前記カヌラ（針）を、前記巻き取り筒体内において前記巻き取り軸に巻き付け、かつ、前記カヌラ（針）の先端を前記巻き取り筒体内に引き込むように構成されている。
【先行技術文献】
【特許文献】
【０００４】
【特許文献１】特許第３９８３８８４号公報
【発明の概要】
【発明が解決しようとする課題】
【０００５】
ところで、静脈留置針や透析用留置針を備える留置針組立体の場合、外套針のカテーテルを血管内に送り込んだ状態で、内針を安全な位置に退避させる必要がある。
しかし、特許文献１に開示された安全注射器の構成を、留置針組立体に応用した場合には、回転させることで内針を巻き取り軸に巻き取る巻き取り筒体（巻き取り操作部）の回転方向が、穿刺した患者と干渉する方向となり、内針を巻き取りにくくなる。その結果、医療用針を患者の体表に穿刺してから輸液回路を接続等するまでの作業に時間がかかってしまうという課題がある。
【０００６】
そこで、本発明は、内針を巻き取りやすくして、医療用針を患者の体表に穿刺してから輸液回路を接続等するまでの作業性を向上させることが可能な医療用針組立体を提供することを目的とする。
【課題を解決するための手段】
【０００７】
前記目的を達成するため、本発明に係る医療用針組立体の構成は、
（１）内針と、
前記内針を巻き取る巻き取り軸と、
巻き取られた前記内針を収容する巻き取り筒体と、
前記巻き取り軸に設けられ、回転させることで、前記巻き取り軸を回転して前記内針を巻き取る巻き取り操作部と、を備え、
前記巻き取り操作部の回転軸の軸方向は、延びた状態の前記内針の長手方向及び穿刺面と略直交する方向であることを特徴とする。
【０００８】
本発明の医療用針組立体の上記（１）の構成は、次のような作用効果を奏する。すなわち、巻き取り操作部の回転軸の軸方向が、延びた状態の内針の長手方向及び穿刺面（患者の体表）と略直交する方向となるように構成されているため、巻き取り操作部を回転させて内針を巻き取る際に、巻き取り操作部が穿刺した患者と干渉することはない。
したがって、本発明の医療用針組立体の上記（１）の構成によれば、内針を巻き取りやすくなるため、医療用針を患者の体表に穿刺してから輸液回路を接続等するまでの作業性を向上させることができる。
【０００９】
本発明の医療用針組立体の上記（１）の構成においては、以下の（２）〜（５）のような構成にすることが好ましい。
【００１０】
（２）前記巻き取り操作部には、前記巻き取り軸に垂直な方向に延長する延長部材が着脱可能となっている。上記（２）の好ましい構成によれば、延長部材を用いることで、巻き取り軸の回転負荷（トルク）を低減でき、内針を巻き取り軸に、より巻き取りやすくなる。また、内針を巻き取り軸に巻き取った後に延長部材を取り外すことで、留置した外套針が邪魔にならず、誤って留置した外套針に触れて脱落する虞を低減することができる。
【００１１】
（３）前記内針は、巻き取られるときに前記巻き取り軸の外周面に対向するフラットな面を有する偏平形状に形成されている。上記（３）の好ましい構成によれば、内針を巻き取る際の負荷を低減できるので、内針をさらに巻き取りやすくなる。
【００１２】
（４）前記内針の前記巻き取り軸側及び／又は前記巻き取り軸側と反対側に、長手方向の切欠部が設けられている。上記（４）の好ましい構成によれば、内針を巻き取る際の負荷を低減できるので、内針をさらに巻き取りやすくなる。
【００１３】
（５）前記内針を蓋う外套針をさらに備え、
前記巻き取り操作部は、前記巻き取り軸を中心に半回転することで前記内針の先端を外套針内に退避し、前記巻き取り軸を中心にさらに半回転することで前記内針の先端まで前記巻き取り筒体内に収容する。上記（５）の好ましい構成によれば、内針の先端が血管内に挿入した際に、巻き取り操作部を半回転させて内針を外套針内に退避させた状態で、外套針を血管内に送り込むことにより、血管の突き破りを抑制することができる。また、外套針を血管内に送り込んだ状態で、巻き取り操作部をさらに半回転（合計１回転）させることで、内針を巻き取り筒体内に収容できるため、巻き取り操作部を何回も回転させる必要がない。したがって、上記（５）の好ましい構成によれば、医療用針を患者の体表に穿刺してから輸液回路を接続等するまでの作業性をさらに向上させることができる。
【発明の効果】
【００１４】
本発明によれば、内針を巻き取りやすくなるため、医療用針を患者の体表に穿刺してから輸液回路を接続等するまでの作業性を向上させることができる。
【図面の簡単な説明】
【００１５】
【図１】図１は、本発明の一実施形態における医療用針組立体の構成を示す一部破断正面図である。
【図２】図２は、本発明の一実施形態における医療用針組立体の構成を示す平面図である。
【図３】図３は、本発明の一実施形態における医療用針組立体の構成部材である巻き取り操作部（ハンドル）の回転軸の軸方向を説明するための一部破断正面図である。
【図４】図４は、本発明の一実施形態における医療用針組立体の構成部材である巻き取り軸（シャフト）、巻き取り筒体（本体）、巻き取り操作部（ハンドル）の関係を示す一部破断分解正面図である。
【図５】図５は、本発明の一実施形態における医療用針組立体の構成部材である巻き取り軸（シャフト）、巻き取り筒体（本体）、巻き取り操作部（ハンドル）の関係を示す一部破断組立正面図である。
【図６】図６は、本発明の一実施形態における医療用針組立体の構成部材である巻き取り軸（シャフト）の構成を示す六面図（但し、背面図、右側面図はそれぞれ正面図、左側面図と対称に表れるため省略）である。
【図７】図７は、本発明の一実施形態における医療用針組立体の構成部材である巻き取り筒体（本体）の構成を示す六面図（但し、背面図は正面図と対称に表れるため省略）である。
【図８】図８は、本発明の一実施形態における医療用針組立体の構成部材である巻き取り操作部（ハンドル）の構成を示す六面図（但し、背面図は正面図と対称に表れるため省略）である。
【図９】図９は、本発明の一実施形態における医療用針組立体の構成部材である延長部材の構成及び使用方法を説明するための一部破断正面図である。
【図１０】図１０は、本発明の一実施形態における医療用針組立体の構成部材である内針（金属内針）の好ましい構成を示す図（（ａ）は正面図、（ｂ）は平面図、（ｃ）は（ｂ）の二点鎖線円部分Ｍの拡大図）である。
【図１１】図１１は、本発明の一実施形態における医療用針組立体の構成部材である内針（金属内針）の他の好ましい構成を示す図（（ａ）は正面図、（ｂ）は平面図、（ｃ）は（ｂ）の二点鎖線円部分Ｎの拡大図）である。
【図１２】図１２は、本発明の一実施形態における医療用針組立体の使用方法を説明するための平面図である。
【図１３】図１３は、本発明の一実施形態における医療用針組立体の使用方法を説明するための一部破断正面図である。
【発明を実施するための形態】
【００１６】
以下、好適な実施形態を用いて本発明をさらに具体的に説明する。但し、下記の実施形態は本発明を具現化した例に過ぎず、本発明はこれに限定されるものではない。
【００１７】
（医療用針組立体の構成）
まず、本発明の一実施形態における医療用針組立体の構成について、医療用針が静脈留置針である場合を例に挙げて、図１〜図１１を参照しながら説明する。
【００１８】
図１，図２に示す医療用針組立体１は、金属内針２と、巻き取り軸としてのシャフト３と、巻き取り筒体としての本体４と、巻き取り操作部としてのハンドル５と、を備えている。金属内針２は、その基端部がシャフト３に固定されている。シャフト３は、本体４内に配置され、金属内針２を巻き取る役割を果たす。本体４は、巻き取られた金属内針２を収容する役割を果たす。ハンドル５は、シャフト３に設けられ、回転させることで（図１の矢印Ａ、図２の矢印Ｂ，Ｃを参照）、シャフト３を回転して金属内針２を巻き取る役割を果たす。図１，図２，図１２，図１３に示すように、ハンドル５を時計回りに回転させると（図１の矢印Ａ、図２の矢印Ｂ，Ｃ、図１２（ａ）の矢印Ｇ，Ｈ、図１２（ｂ）の矢印Ｊ，Ｋを参照）、シャフト３が回転して金属内針２を巻き取る（図１２（ａ）のの矢印Ｉ、図１２（ｂ）の矢印Ｌを参照）。これにより、図１２（ｃ），図１３に示すように、金属内針２のうち巻き取られた部分が本体４内に収容され、金属内針２の先端が外套針６のカテーテルハブ６ｂ内に退避される。
【００１９】
図１，図２に示すように、ハンドル５の回転軸の軸方向は、延びた状態の金属内針２の長手方向及び穿刺面（患者の体表）と略直交する方向である。図３に示すように、医療用針７は、通常、穿刺面（患者の体表）に対して２０度ほど傾けて穿刺される。この場合、穿刺面（患者の体表）と略直交する方向は、穿刺面（患者の体表）に対して約７０度傾いた方向となる。なお、ハンドル５の回転軸と穿刺面（患者の体表）との角度は、７０度に限定されるものではなく、ハンドル５が穿刺面（患者の体表）と干渉しない角度であればよい。例えば、４０度以上８５度以下の角度であってもよい。
【００２０】
本実施形態の医療用針組立体１の構成は、次のような作用効果を奏する。すなわち、ハンドル５の回転軸の軸方向が、延びた状態の金属内針２の長手方向及び穿刺面（患者の体表）と略直交する方向となるように構成されているため、ハンドル５を回転させて金属内針２を巻き取る際に、ハンドル５が穿刺した患者と干渉することはない。
したがって、本実施形態の医療用針組立体１の構成によれば、金属内針２を巻き取りやすくなるため、医療用針７を患者の体表に穿刺してから輸液回路を接続等するまでの作業性を向上させることができる。
【００２１】
以下、さらに詳細に説明する。図１，図２に示す医療用針７は静脈留置針であり、金属内針２と外套針６を有している。外套針６は、カテーテル６ａ及びカテーテルハブ６ｂを備えている。カテーテル６ａは、ポリウレタン製の柔軟な細管からなる。カテーテルハブ６ｂは、ポリカーボネート製の硬質筒体であり、カテーテル６ａの基端部に連通した状態で一体に形成されている。金属内針２は、ステンレス鋼製であり、カテーテル６ａにほぼ隙間なく挿通される径とされ、針先Ｐに穿刺刃を有している。カテーテルハブ６ｂは、本体４のカテーテルハブ連結部４ｂに固定されている。金属内針２は、カテーテル６ａに挿通された状態で、その基端部がシャフト３の嵌入孔３ａ（図４，図５を参照）に嵌入して固定されている。
なお、外套針６は、弾性変形可能な板状に形成された左右一対の翼部を備えていてもよい。かかる構成によれば、穿刺して金属内針２を巻き取った後、翼部を患者（患者の腕や手等）に粘着テープで固定することにより、外套針６を患者にしっかりと固定することが可能となる。
【００２２】
図１，図２，図４，図５，図７に示すように、本体４は、ポリカーボネート製の硬質素材からなり、巻き取られた金属内針２を収容する上端開口の円筒状の収容容器４ａを備えている。収容容器４ａの外周面には、前方に突出して、収容容器４ａと連通する円筒状のカテーテルハブ連結部４ｂが一体に形成されている。カテーテルハブ連結部４ｂには、外套針６のカテーテルハブ６ｂが被せた状態で嵌着固定されている。また、収容容器４ａの外周面には、後方に突出して、収容容器４ａと連通する円筒状の輸液チューブ連結部４ｃが一体に形成されている。輸液チューブ連結部４ｃには、ポリウレタン製の柔軟な素材からなる輸液チューブ８の一端が嵌入した状態で固定されている。図１，図２に示す医療用チューブクランプ９は、輸液チューブ８に輸液回路を接続する際に輸液チューブ８の任意の箇所を閉塞しておくために用いられる。また、コネクタ１０は、輸液回路との接続部である。医療用チューブクランプ９は、ポリプロピレン製の硬質板材からなり、コネクタ１０は、ポリカーボネート製の硬質筒体からなる。
【００２３】
図１，図４，図５，図６に示すように、シャフト３は、ポリカーボネート製の硬質柱体であり、本体４の収容容器４ａ内に回転可能に配置されている。シャフト３の下部には、金属内針２の基端部を嵌入して固定するための嵌入孔３ａが径方向に延びた状態で穿設されている。シャフト３の下部外周面には、嵌入孔３ａと同じ高さ位置に第１環状凹溝３ｂが形成されており、第１環状凹溝３ｂに金属内針２を巻き取ることができるようにされている。シャフト３の上面には、軸方向に角孔３ｃが穿設されており、後述するハンドル５の角軸部５ｄを着脱可能に嵌入できるようにされている（図４の矢印Ｅを参照）。シャフト３の上部外周面には、環状凸条部３ｄが形成されており、本体４の収容容器４ａの上部内周面には、第２環状凹溝４ｄが形成されている。これにより、シャフト３を収容容器４ａ内に挿入して配置するときに（図４の矢印Ｄを参照）、環状凸条部３ｄが第２環状凹溝４ｄに嵌り込んで、シャフト３の収容容器４ａからの抜け防止が可能となる。シャフト３の上部外周面には、環状凸条部３ｄよりも下方に位置して第３環状凹溝３ｅが形成されており、第３環状凹溝３ｅには、シリコン又はイソプレンゴムからなるＯリング３ｆが嵌め込まれている。これにより、シャフト３を収容容器４ａ内に挿入して配置したときに、収容容器４ａの上部内面とシャフト３との間がＯリング３ｆによってシールされ、血液や輸液の漏れ防止が可能となる。
【００２４】
図１，図２，図４，図５，図８に示すように、ハンドル５は、ポリプロピレン製の硬質素材からなる。ハンドル５は、円錐台状のハンドル本体５ａと、左右のウイング５ｂ，５ｃと、角軸部５ｄと、を備えている。ウイング５ｂ，５ｃは、ハンドル本体５ａから水平に延出する。角軸部５ｄは、ハンドル本体５ａの下面に形成されており、シャフト３の上面に穿設さた角孔３ｃに着脱可能に嵌入される（図４の矢印Ｅを参照）。ハンドル５の角軸部５ｄをシャフト３の角孔３ｃに嵌入し、左右のウイング５ｂ，５ｃにそれぞれ右手の親指と人差し指を当ててハンドル５を時計回りに回転させることにより、シャフト３を回転させて金属内針２を巻き取ることができる。左右のウイング５ｂ，５ｃは、それぞれ回転方向側の面が凹の湾曲形状となっている。かかる構成によれば、左右のウイング５ｂ，５ｃにそれぞれ右手の親指と人差し指を沿わせやすくなるため、回転操作性を向上させることができる。なお、左手で反時計回りに回転操作する仕様の場合には、左右のウイングの湾曲形状を逆にすればよい。ハンドルを着脱可能に構成したことにより、ハンドルのみ、右手操作用と左手操作用の２種類を用意すれば足りるので、医療用針組立体全体のコストは抑えられる。
【００２５】
図９に示すように、ハンドル５には、シャフト３に垂直な方向に延長する延長部材１２が着脱可能となっている（図９の両矢印Ｆを参照）。延長部材１２は、その外観がハンドル５とほぼ同じ形状となっており、ハンドル５に上から被せることが可能な下面開口の空洞体となっている。かかる構成によれば、延長部材１２を用いることで、シャフト３の回転負荷（トルク）を低減でき、金属内針２をシャフト３に、より巻き取りやすくなる。また、金属内針２をシャフト３に巻き取った後に延長部材１２を取り外すことで、留置した外套針６が邪魔にならず、誤って留置した外套針６に触れて脱落する虞を低減することができる。延長部材１２は、ハンドル５と同じポリプロピレン製の硬質素材からなる。  
【００２６】
図１０に示すように、金属内針２は、巻き取られるときにシャフト３の外周面に対向するフラットな面を有する偏平形状に形成されている。かかる構成によれば、金属内針２を巻き取る際の負荷を低減でき、金属内針２をさらに巻き取りやすくなる。金属内針２は、図１１に示すように、先端（針先）を除く部分に、長手方向の切欠部１３を設けるようにしてもよい。かかる構成によっても、金属内針２を巻き取る際の負荷を低減でき、金属内針２をさらに巻き取りやすくなる。
【００２７】
（医療用針組立体の使用方法）
次に、本発明の一実施形態における医療用針組立体の使用方法について、図１２，図１３をも参照しながら説明する。
【００２８】
まず、図３に示すように、本体４を右手の親指と人差し指で持って、金属内針２の針先Ｐを、穿刺面（患者の体表）に穿刺して、患者の血管内に挿入する。
【００２９】
次いで、図１２（ａ）に示すように、本体４を左手の親指と人差し指に持ち替え、ハンドル５の左右のウイング５ｂ，５ｃにそれぞれ右手の親指と人差し指を当ててハンドル５を時計回りに半回転だけ回転させる（図１２（ａ）の矢印Ｇ，Ｈを参照）。これにより、金属内針２が後退し（図１２（ａ）の矢印Ｉを参照）、図１２（ｂ）に示すように、外套針６のカテーテル６ａの中央あたりで止まる。
【００３０】
次いで、このように金属内針２を外套針６のカテーテル６ａ内に退避させた状態で、本体４を右手の親指と人差し指で持ってカテーテル６ａを血管内に送り込む。これにより、血管の突き破りを抑制することができる。
【００３１】
次いで、このように外套針６のカテーテル６ａを血管内に送り込んだ状態で、図１２（ｂ）に示すように、本体４を左手の親指と人差し指に持ち替え、ハンドル５の左右のウイング５ｂ，５ｃにそれぞれ右手の親指と人差し指を当ててハンドル５を時計回りにさらに半回転（合計１回転）だけ回転させる（図１２（ｂ）の矢印Ｊ，Ｋを参照）。これにより、金属内針２がさらに後退し（図１２（ｂ）の矢印Ｌを参照）、図１２（ｃ），図１３に示すように、金属内針２のうち巻き取られた部分が本体４内に収容され、金属内針２の先端（針先Ｐ）は、安全な位置であるカテーテルハブ６ｂ内に退避される。
【００３２】
最後に、図１に示すように、医療用チューブクランプ９によって輸液チューブ８の任意の箇所を閉塞し、コネクタ１０を介して輸液チューブ８に輸液回路を接続する。これにより、血管に留置されたカテーテル６ａを通じて輸液等を行うことができる。
【００３３】
以上のように、本実施形態の医療用針組立体１を用いれば、ハンドル５を回転させて金属内針２を巻き取る際に、ハンドル５が穿刺した患者と干渉することはない。このため、金属内針２を巻き取りやすくなり、医療用針７を患者の体表に穿刺してから輸液回路を接続等するまでの作業性が向上する。
また、ハンドル５を合計１回転させるだけで、金属内針２を安全な位置であるカテーテルハブ６ｂ内に退避させることができ、ハンドル５を何回も回転させる必要がない。このため、医療用針７を患者の体表に穿刺してから輸液回路を接続等するまでの作業性がさらに向上する。
【００３４】
なお、本実施形態においては、医療用針が輸液（点滴）等に用いられる静脈留置針である場合を例に挙げて説明した。しかし、本発明は必ずしもこのような構成に限定されるものではない。内針が巻き取られる医療用針は、例えば、透析に用いられる透析用留置針、あるいは、留置しない注射針などの他の医療用針であってもよい。
【００３５】
また、本実施形態においては、ハンドル（巻き取り操作部）５がシャフト（巻き取り軸）３に着脱可能に設けられている場合を例に挙げて説明した。しかし、本発明は必ずしもこのような構成に限定されるものではない。巻き取り操作部は巻き取り軸に一体に設けられていてもよい。
【００３６】
また、本実施形態においては、延長部材１２が、その外観がハンドル（巻き取り操作部）５とほぼ同じ形状となっており、ハンドル５に上から被せることが可能な下面開口の空洞体となっている場合を例に挙げて説明した。しかし、本発明は必ずしもこのような構成に限定されるものではない。延長部材は、例えば、単にハンドル５の左右のウイング５ｂ，５ｃに嵌め込むだけのものであってもよい。
【００３７】
また、本実施形態においては、金属内針２が、巻き取られるときにシャフト（巻き取り軸）３の外周面に対向するフラットな面を有する偏平形状に形成されている場合等を例に挙げて説明した。しかし、本発明は必ずしもこのような構成に限定されるものではない。穿刺の際の強度をある程度確保でき、かつ、巻き取る際の負荷を低減できれば、内針の形状は任意である。また、金属内針２は、断面が真円形状の通常の内針であってもよい。
また、本実施形態においては、金属内針２の先端（針先）を除く部分に、長手方向の切欠部１３を設けるようにする場合を例に挙げて説明した。しかし、本発明は必ずしもこのような構成に限定されるものではない。少なくとも、金属内針２のシャフト（巻き取り軸）３側又はシャフト３側と反対側に、長手方向の切欠部が設けられていればよい。
【００３８】
また、本実施形態においては、ハンドル（巻き取り操作部）５が、シャフト（巻き取り軸）３を中心に半回転することで金属内針２の先端を外套針６のカテーテル６ａの中央あたりまで退避し、シャフト３を中心にさらに半回転することで、金属内針２のうち巻き取られた部分を本体（巻き取り筒体）４内に収容し、金属内針２の先端（針先Ｐ）を外套針６のカテーテルハブ６ｂ内に退避する場合を例に挙げて説明した。しかし、本発明は必ずしもこのような構成に限定されるものではない。金属内針２と外套針６の長さを短くするか、シャフト（巻き取り軸）３と本体（巻き取り筒体）４の径を大きくすることにより、以下のように動作するようにしてもよい。すなわち、ハンドル５が、シャフト３を中心に半回転することで金属内針２の先端を外套針６内に退避し、シャフト３を中心にさらに半回転することで金属内針２の先端まで本体４内に収容するようにしてもよい。具体的には、金属内針２の長さを、シャフト３の円周の長さとほぼ等しくなるようにする。これにより、ハンドル５を１回転することで、金属内針２の全長をシャフト３に巻き取ることができる。
【符号の説明】
【００３９】
１  医療用針組立体
２  金属内針
３  シャフト（巻き取り軸）
３ａ  嵌入孔
３ｂ  第１環状凹溝
３ｃ  角孔
３ｄ  環状凸条部
３ｅ  第３環状凹溝
３ｆ  Ｏリング
４  本体（巻き取り筒体）
４ａ  収容容器
４ｂ  カテーテルハブ連結部
４ｃ  輸液チューブ連結部
４ｄ  第２環状凹溝
５  ハンドル（巻き取り操作部）
５ａ  ハンドル本体
５ｂ，５ｃ  ウイング
５ｄ  角軸部
６  外套針
６ａ  カテーテル
６ｂ  カテーテルハブ
７  医療用針
８  輸液チューブ
９  医療用チューブクランプ
１０  コネクタ
１２  延長部材
１３  切欠部
Ｐ  針先
【図１】
2020005988.tif 000003
【図２】
2020005988.tif 000004
【図３】
2020005988.tif 000005
【図４】
2020005988.tif 000006
【図５】
2020005988.tif 000007
【図６】
2020005988.tif 000008
【図７】
2020005988.tif 000009
【図８】
2020005988.tif 000010
【図９】
2020005988.tif 000011
【図１０】
2020005988.tif 000012
【図１１】
2020005988.tif 000013
【図１２】
2020005988.tif 000014
【図１３】
2020005988.tif 000015